(57)【要約】【課題】  組立分解作業や盛替作業を容易かつ迅速に行なうことができる仮設養生体を提供する。【解決手段】  締結具２０ａを用いて躯体部１２に支持される主枠体１１の取付孔１７に対して他の主枠体１１の連結部１６を挿入することによって垂直方向に主枠体１１が組み上げられる。主枠体１１の被連結具４２に対して補助枠体１３の連結具である係合ピン３９ａを係合することによって水平方向に補助枠体１３が組み付けられる。主枠体１１および補助枠体１３のそれぞれは簡易な組付け手段により着脱自在に組み付けられ、仮設養生体１０の組立解体作業や盛替作業を容易に行なうことができる。【選択図】    図６
2005155020.tif 000002
【特許請求の範囲】
【請求項１】
建築物の外周に設置され、養生ネットや作業足場が組み付けられる仮設養生体であって、
一端部に連結部が突設され他端部に連結部が挿入される取付孔が形成される複数本の垂直支柱と当該垂直支柱を連結する１本以上の水平棒材とにより構成される複数の主枠体と、
前記主枠体に取り付けられ、前記建築物の躯体部に着脱自在に締結される締結具とを有し、
前記締結具を用いて前記躯体部に支持される前記主枠体の前記取付孔に対して他の前記主枠体の前記連結部を挿入することによって、垂直方向に前記主枠体が組み上げられることを特徴とする仮設養生体。
【請求項２】
建築物の外周に配置され、養生ネットや作業足場が組み付けられる仮設養生体であって、
複数本の垂直支柱と当該垂直支柱を連結する１本以上の水平棒材とにより構成される主枠体と、
複数本の垂直支柱と当該垂直支柱を連結する１本以上の水平棒材とにより構成され、前記主枠体に連結される連結具が設けられる補助枠体と、
前記主枠体に取り付けられ、前記建築物の躯体部に着脱自在に締結される締結具とを有し、
前記締結具を用いて前記躯体部に支持される前記主枠体に対して前記補助枠体の前記連結具を連結することによって、前記主枠体の水平方向に前記補助枠体が組み付けられることを特徴とする仮設養生体。
【請求項３】
建築物の外周に配置され、養生ネットや作業足場が組み付けられる仮設養生体であって、
一端部に連結部が突設され他端部に連結部が挿入される取付孔が形成される複数本の垂直支柱と当該垂直支柱を連結する１本以上の水平棒材とにより構成される複数の主枠体と、
複数本の垂直支柱と当該垂直支柱を連結する１本以上の水平棒材とにより構成され、前記主枠体に連結される連結具が設けられる補助枠体と、
前記主枠体に取り付けられ、前記建築物の躯体部に着脱自在に締結される締結具とを有し、
前記締結具を用いて前記躯体部に支持される前記主枠体の前記取付孔に対して他の前記主枠体の前記連結部を挿入することによって、垂直方向に前記主枠体が組み上げられ、前記主枠体に対して前記補助枠体の前記連結具を連結することによって、前記主枠体の水平方向に前記補助枠体が組み付けられることを特徴とする仮設養生体。
【請求項４】
建築物の外周に設置され、養生ネットや作業足場が組み付けられる仮設養生体の設置方法であって、
一端部に連結部が突設され他端部に連結部が挿入される取付孔が形成される複数本の垂直支柱と当該垂直支柱を連結する１本以上の水平棒材とにより構成される主枠体を、当該主枠体に取り付けられる締結具を用いて前記建築物の躯体部に着脱自在に締結する第１の工程と、
前記締結具を用いて前記躯体部に支持される前記主枠体の前記取付孔に対して他の前記主枠体の前記連結部を挿入することによって、前記主枠体を垂直方向に着脱自在に組み上げる第２の工程とを有することを特徴とする仮設養生体の設置方法。
【請求項５】
建築物の外周に配置され、養生ネットや作業足場が組み付けられる仮設養生体の設置方法であって、
複数本の垂直支柱と当該垂直支柱を連結する１本以上の水平棒材とにより構成される主枠体を、当該主枠体に取り付けられる締結具を用いて前記建築物の躯体部に着脱自在に締結する第１の工程と、
複数本の垂直支柱と当該垂直支柱を連結する１本以上の水平棒材とにより構成され前記主枠体に連結される連結具が設けられる補助枠体を、前記締結具を用いて前記躯体部に支持される前記主枠体に対して前記補助枠体の前記連結具を連結することによって、前記主枠体の水平方向に着脱自在に組み付ける第２の工程とを有することを特徴とする仮設養生体の設置方法。
【請求項６】
建築物の外周に設置され、養生ネットや作業足場が組み付けられる仮設養生体の設置方法であって、
一端部に連結部が突設され他端部に連結部が挿入される取付孔が形成される複数本の垂直支柱と当該垂直支柱を連結する１本以上の水平棒材とにより構成される主枠体を、当該主枠体に取り付けられる締結具を用いて前記建築物の躯体部に着脱自在に締結する第１の工程と、
複数本の垂直支柱と当該垂直支柱を連結する１本以上の水平棒材とにより構成され前記主枠体に連結される連結具が設けられる補助枠体を、前記主枠体に対して前記補助枠体の前記連結具を連結することによって、前記主枠体の水平方向に着脱自在に組み付ける第２の工程と、
前記締結具を用いて前記躯体部に支持される前記主枠体の前記取付孔に対して他の前記主枠体の前記連結部を挿入することによって、前記主枠体を垂直方向に着脱自在に組み上げる第３の工程とを有することを特徴とする仮設養生体の設置方法。
【発明の詳細な説明】
【技術分野】
【０００１】
本発明は建造中の建築物の外周に設置されて養生ネットや作業足場が組み付けられる仮設養生体とその設置方法に関する。
【背景技術】
【０００２】
中層ないし高層の建築物を建造する際には、地上から足場を組み上げていくことは困難であることから、建築物の躯体部に着脱自在に締結される締結具を用いて仮設養生体を設置するようにした技術が開発されている。仮設養生体は、長尺の単管パイプをクランプなどの連結具を用いて相互に組み付けて枠体を形成し、この枠体をブラケットなどの締結具を用いて建築物の躯体部に締結することによって設置するようにしている。この仮設養生体には、落下養生のため建造箇所全体を覆う養生ネットや作業員が乗り込む作業足場が組み付けられ、作業者は養生ネットに護られた作業足場の上で外面塗装などの種々の建設作業に従事する。
【０００３】
かかる仮設養生体は、建設作業の進捗状況にあわせて設置場所を変える盛替作業が行なわれる。この盛替作業には種々の方法が存在し、登攀機能を備える仮設養生体をガイドレールに沿って自走させる方法や、仮設養生体全体をクレーンやホイストなどの起重機を用いて自在に昇降させる方法などが知られている。
【発明の開示】
【発明が解決しようとする課題】
【０００４】
このような仮設養生体は、建設現場まで分解した状態でトラック輸送できるとともに、建設現場では容易に組み立てられ作業終了後には容易に解体できることが好ましく、仮設養生体の設置箇所を移す盛替作業も容易かつ迅速に行なえることが好ましい。しかしながら、これまでに知られている仮設養生体は建設現場で単管パイプから枠体を形成するとともに、盛替作業にも登攀装置や起重機などの大掛かりな装置を必要とするので組立分解作業や盛替作業が煩雑なものとなっており、工期の長期化を招くという問題があった。
【０００５】
本発明の目的は、組立分解作業や盛替作業を容易かつ迅速に行なうことができる仮設養生体を提供することにある。
【課題を解決するための手段】
【０００６】
本発明の仮設養生体は、建築物の外周に設置され、養生ネットや作業足場が組み付けられる仮設養生体であって、一端部に連結部が突設され他端部に連結部が挿入される取付孔が形成される複数本の垂直支柱と当該垂直支柱を連結する１本以上の水平棒材とにより構成される複数の主枠体と、前記主枠体に取り付けられ、前記建築物の躯体部に着脱自在に締結される締結具とを有し、前記締結具を用いて前記躯体部に支持される前記主枠体の前記取付孔に対して他の前記主枠体の前記連結部を挿入することによって、垂直方向に前記主枠体が組み上げられることを特徴とする。
【０００７】
本発明の仮設養生体は、建築物の外周に配置され、養生ネットや作業足場が組み付けられる仮設養生体であって、複数本の垂直支柱と当該垂直支柱を連結する１本以上の水平棒材とにより構成される主枠体と、複数本の垂直支柱と当該垂直支柱を連結する１本以上の水平棒材とにより構成され、前記主枠体に連結される連結具が設けられる補助枠体と、前記主枠体に取り付けられ、前記建築物の躯体部に着脱自在に締結される締結具とを有し、前記締結具を用いて前記躯体部に支持される前記主枠体に対して前記補助枠体の前記連結具を連結することによって、前記主枠体の水平方向に前記補助枠体が組み付けられることを特徴とする。
【０００８】
本発明の仮設養生体は、建築物の外周に配置され、養生ネットや作業足場が組み付けられる仮設養生体であって、一端部に連結部が突設され他端部に連結部が挿入される取付孔が形成される複数本の垂直支柱と当該垂直支柱を連結する１本以上の水平棒材とにより構成される複数の主枠体と、複数本の垂直支柱と当該垂直支柱を連結する１本以上の水平棒材とにより構成され、前記主枠体に連結される連結具が設けられる補助枠体と、前記主枠体に取り付けられ、前記建築物の躯体部に着脱自在に締結される締結具とを有し、前記締結具を用いて前記躯体部に支持される前記主枠体の前記取付孔に対して他の前記主枠体の前記連結部を挿入することによって、垂直方向に前記主枠体が組み上げられ、前記主枠体に対して前記補助枠体の前記連結具を連結することによって、前記主枠体の水平方向に前記補助枠体が組み付けられることを特徴とする。
【０００９】
本発明の仮設養生体の設置方法は、建築物の外周に設置され、養生ネットや作業足場が組み付けられる仮設養生体の設置方法であって、一端部に連結部が突設され他端部に連結部が挿入される取付孔が形成される複数本の垂直支柱と当該垂直支柱を連結する１本以上の水平棒材とにより構成される主枠体を、当該主枠体に取り付けられる締結具を用いて前記建築物の躯体部に着脱自在に締結する第１の工程と、前記締結具を用いて前記躯体部に支持される前記主枠体の前記取付孔に対して他の前記主枠体の前記連結部を挿入することによって、前記主枠体を垂直方向に着脱自在に組み上げる第２の工程とを有することを特徴とする。
【００１０】
本発明の仮設養生体の設置方法は、建築物の外周に配置され、養生ネットや作業足場が組み付けられる仮設養生体の設置方法であって、複数本の垂直支柱と当該垂直支柱を連結する１本以上の水平棒材とにより構成される主枠体を、当該主枠体に取り付けられる締結具を用いて前記建築物の躯体部に着脱自在に締結する第１の工程と、複数本の垂直支柱と当該垂直支柱を連結する１本以上の水平棒材とにより構成され前記主枠体に連結される連結具が設けられる補助枠体を、前記締結具を用いて前記躯体部に支持される前記主枠体に対して前記補助枠体の前記連結具を連結することによって、前記主枠体の水平方向に着脱自在に組み付ける第２の工程とを有することを特徴とする。
【００１１】
本発明の仮設養生体の設置方法は、建築物の外周に設置され、養生ネットや作業足場が組み付けられる仮設養生体の設置方法であって、一端部に連結部が突設され他端部に連結部が挿入される取付孔が形成される複数本の垂直支柱と当該垂直支柱を連結する１本以上の水平棒材とにより構成される主枠体を、当該主枠体に取り付けられる締結具を用いて前記建築物の躯体部に着脱自在に締結する第１の工程と、複数本の垂直支柱と当該垂直支柱を連結する１本以上の水平棒材とにより構成され前記主枠体に連結される連結具が設けられる補助枠体を、前記主枠体に対して前記補助枠体の前記連結具を連結することによって、前記主枠体の水平方向に着脱自在に組み付ける第２の工程と、前記締結具を用いて前記躯体部に支持される前記主枠体の前記取付孔に対して他の前記主枠体の前記連結部を挿入することによって、前記主枠体を垂直方向に着脱自在に組み上げる第３の工程とを有することを特徴とする。
【発明の効果】
【００１２】
本発明によれば、仮設養生体を構成する主枠体と補助枠体とはともに組み立てられた状態で現場まで搬送され、作業現場では躯体部に支持される主枠体に他の枠体を組み付けるのみで仮設養生体を設置することができる。主枠体と補助枠体のそれぞれには予め簡易な組付け手段が設けられており、相互の組み付け作業も容易かつ迅速に行なうことができる。
【００１３】
本発明によれば、主枠体の垂直方向への組み上げ個数は変更自在であり、躯体部に締結される主枠体相互の間隔も変更自在であり、建造規模や作業の進捗状況にあわせて任意に変更することができる。
【００１４】
本発明によれば、補助枠体の水平方向への組み付けの有無は、建造規模や作業の進捗状況にあわせて任意に決定することができる。補助枠体を組み付ける場合には、所定の間隔で躯体部に支持される主枠体に対して補助枠体を組み付けることができるので、躯体部に支持される締結具を必要最小限の個数に減ずることができる。補助枠体を組み付けることによって建造箇所全体を枠体により覆うことも可能となるので養生ネットや作業足場の組み付けに支障をきたすこともない。
【発明を実施するための最良の形態】
【００１５】
以下、本発明の実施の形態を図面に基づいて詳細に説明する。
【００１６】
図１は本発明の一実施の形態である仮設養生体を建築物の外側に設置した状態を示す斜視図である。図１には建造中の建築物の躯体部１２が示されており、本発明の仮設養生体１０は建築物の外側に設置される。マンションやオフィスビルなどの一つの建築物を建築する際には、建造箇所全体を覆うように所定の個数の主枠体１１および補助枠体１３が設置されることになる。図１に示される場合にあっては、所定の間隔で躯体部１２に支持される主枠体１１には躯体部１２に支持されない主枠体１１が複数組み上げられ、主枠体１１の水平方向には補助枠体１３が組み付けられている。そして、組み立てられた仮設養生体１０には、図示するように養生ネット１４や作業足場１５が組み付けられている。
【００１７】
図２は本発明を構成する主枠体の一実施の形態を示す全体図である。図２に示されるように、主枠体１１は、一端部に連結部１６が突設され他端部に連結部１６が挿入される取付孔１７が形成される複数本の垂直支柱１８と、この垂直支柱１８を連結する１本以上の水平棒材１９とにより構成されている。図１および図２に示す場合には、主枠体１１は２本の垂直支柱１８と３本の水平棒材１９とを有しているが、これらの本数は一実施の形態に過ぎない。また、垂直支柱１８のそれぞれは連結部１６が下方に向けて配置されているが、いずれか一つないし全部を上方に向けて配置するようにしても良い。垂直支柱１８および水平棒材１９は十分な強度を備え、これらの部材は溶接などの方法により強固に固定されている。
【００１８】
図３（Ａ）〜（Ｃ）および図３（Ｅ）は本発明を構成する主枠体に取り付けられる締結具の一実施の形態を示す斜視図であり、図３（Ｄ）は図３（Ｃ）のＤ−Ｄ線方向に沿う方向の断面図であり、図３（Ｆ）は図３（Ｅ）に示す締結具の締結状態を示す一部省略断面図である。なお、図３（Ｂ）および図３（Ｅ）においては、図３（Ａ）に示される部材と同一の部材には同一の符号を付している。締結具２０ａ〜２０ｃは、主として、主枠体１１に取り付けられ、建築物の躯体部１２に着脱自在に締結されるものであって、主枠体１１を躯体部１２に対して支持するために使用される。ただし、主枠体１１には必ずしも締結具２０ａ〜２０ｃを取り付ける必要はない。たとえば、図１に示されるように、締結具２０ａを用いて躯体部１２に直接支持される主枠体１１もあれば、その主枠体１１に組み上げられ締結具２０ａが取り付けられない主枠体１１もある。
【００１９】
図３（Ａ）に示す締結具２０ａは角パイプからなるベース部２１を有し、その上端部には角パイプからなる締結アーム２２がベース部２１に対して直角方向に固定されている。この締結アーム２２にはスリーブ２３が摺動自在に嵌合されており、スリーブ２３に対して締結アーム２２と平行にネジ結合された締結ネジ２４の先端には、躯体部１２の内面に接触する締結駒２５が設けられている。締結アーム２２には複数の位置決め孔２６が形成され、躯体部１２の厚み寸法にあわせて図示しない止めピンなどの固定具を何れかの位置決め孔２６に打ち込むことにより、スリーブ２３の締結アーム２２に対する位置を設定することができる。主枠体１１の垂直支柱１８に対向するベース部２１の面上には締結部材として通常一般に用いられる単クランプ２７が設けられている。主枠体１１の垂直支柱１８を単クランプ２７のそれぞれに収容し所定の工具を用いてボルト締付を行なうことによって、躯体部１２に対して主枠体１１を支持する。
【００２０】
図３（Ｂ）に示す締結具２０ｂは図３（Ａ）に示す締結具２０ａとはベース部２１に設けられる締結部材のみが異なる。締結具２０ｂに設けられる締結部材２８は、主枠体１１の水平棒材１９の取り付け間隔よりも小さい高さ寸法に設定される狭持部２９と、当該狭持部２９を垂直支柱１８に向けて開口させるとともに複数のボルト締結孔３０が形成される折曲部３１とを有している。主枠体１１の垂直支柱１８を狭持部２９内に収容するとともに、所定の工具を用いてボルト締付を行なうことによって、躯体部１２に対して主枠体１１を支持する。こちらの締結部材２８の方が、垂直支柱１８に対する締付け面積が大きく、より強固な締付け作業を行なうことが可能である。
【００２１】
図３（Ｃ）に示す締結具２０ｃは躯体部１２の平坦な面上に着脱自在に締結されるものである。締結具２０ｃは、複数のボルト締結孔３２が形成される基板３３と、当該基板３３面上に突設される一対の支承部３４と、当該支承部３４の間に掛け渡される支持棒３５とを有している。締結具２０ｃはボルト締結孔３２から躯体部１２内部に打ち込まれる図示しないアンカーボルトによって躯体部１２に固定されており、主枠体１１の水平棒材１９には係合部材としてのフック３６ａが装着されており、フック３６ａを支持棒３５に掛け留めることによって、躯体部１２に対して主枠体１１を支持するようになっている。
【００２２】
締結具２０ｃに対して主枠体１１を掛け留めるための部材としては、上述のフック３６ａの他、図３（Ｅ）および図３（Ｆ）に示す係合部材３６ｂを使用することもできる。係合部材３６ｂは、図３（Ａ）に示すような単クランプ２７が装着されるベース部２１と、ベース部２１の上端部に直角方向に固定される締結アーム２２ａと、締結アーム２２ａを挟み込むように締結アーム２２ａの先端部に装着される一対の係合片３７とを有している。係合片３７のそれぞれには支持棒３５を収容するために下方に向けて開口する係合溝３７ａが形成されており、その係合片３７の所定の箇所には支持棒３５から係合片３７が脱落するのを防止するために係合片３７に対して開閉自在に連結される安全プレート３８が装着されている。このような係合部材３６ｂは、単クランプ２７を主枠体１１の垂直支柱１８に締結し、図３（Ｆ）に示すように支持棒３５に対して係合片３７を掛け留めるとともに、支持棒３５からの脱落を防止するための安全プレート３８を閉じることによって、躯体部１２に対して主枠体１１を支持するようになっている。
【００２３】
なお、主枠体１１の躯体部１２に対する支持方法は、図３（Ａ）〜（Ｆ）に示される締結具２０ａ〜２０ｃを用いて支持する方法に限られることなく、その他の通常一般に用いられるブラケットの使用が排除されることはない。また、図３（Ａ）、図３（Ｂ）および図３（Ｅ）に示されるような単クランプ２７または締結部材２８を使用する締結具２０ａ〜２０ｃにあっては、そのベース部２１の面上に複数個の単クランプ２７または締結部材２８を設けることができる。その一例として、図３（Ａ）および図３（Ｅ）に示す場合には上下二個の単クランプ２７が設けられている。一個の締結具２０ａ〜２０ｃに複数個の単クランプ２７または締結部材２８を設けるようにすれば、単クランプ２７または締結部材２８のそれぞれを相互に近接して配設される二個の主枠体１１のそれぞれに振り分けて締結させることによって、二個の主枠体１１を一個の締結具２０ａ〜２０ｃで支持することができる。
【００２４】
図４は一実施の形態である仮設養生体の設置方法を示す説明図である。図４に示される仮設養生体１０は補助枠体１３を使用せずに主枠体１１と締結具２０ｂとにより構成され、その主枠体１１の垂直支柱１８は連結部１６が下方を向くように配置されている。かかる仮設養生体１０は第１と第２の工程とにより設置される。すなわち、複数の主枠体１１を作業現場に搬入した後、第１の工程として、複数の主枠体１１のうちの一部を締結具２０ａ〜２０ｃを用いて建築物の躯体部１２に着脱自在に締結する。図示する場合には、図３（Ｂ）に示される締結具２０ｂを用いて、所定の間隔で主枠体１１を躯体部１２に締結している。次いで、第２の工程として、締結具２０ｂによって躯体部１２に支持される主枠体１１の上部に形成される取付孔１７に対して、他の主枠体１１の下方を向くように配置される連結部１６を挿入することによって主枠体１１を垂直方向に着脱自在に組み上げる。この組み上げられる主枠体１１に更に他の主枠体１１を組み上げるようにしても良く、この組み上げられる主枠体１１を締結具２０ａ〜２０ｃを用いて躯体部１２に支持させるようにしても良い。図１に示される場合には、複数の主枠体１１が垂直方向に組み上げられ、これらの主枠体１１のうちの一部は所定の間隔で締結具２０ａにより躯体部１２に支持されている。
【００２５】
このように、従来の単管パイプから枠体を形成して仮設足場を設置する方法とは異なり、本発明の仮設養生体１０はすでに主枠体１１として形成された状態で作業現場に搬入され、作業現場では躯体部１２に支持される主枠体１１に他の主枠体１１を組み付けるのみで仮設養生体１０を設置することができる。その主枠体１１には予め簡易な組付け手段としての連結部１６と取付孔１７とが設けられており、相互の組み付け作業も容易かつ迅速に行なうことができるので作業効率の向上を図ることができる。また、本発明によれば、主枠体１１の垂直方向への組み上げ個数は変更自在であり、躯体部１２に締結される主枠体１１相互の間隔も変更自在であり、建造規模や作業の進捗状況にあわせて任意に変更することができるので、必要最小限のサイズで仮設養生体１０を設置することができる。
【００２６】
図５（Ａ）は本発明を構成する補助枠体の一実施の形態を示す全体図であり、補助枠体１３は、連結具３９が設けられる複数本の垂直支柱４０と、この垂直支柱４０を連結する複数本の水平棒材４１とにより構成されている。図示する場合には、補助枠体１３は２本の垂直支柱４０と３本の水平棒材４１とを有しているが、これらの本数は一実施の形態に過ぎない。垂直支柱４０および水平棒材４１のそれぞれは十分な強度を備え、これらの部材は溶接などの方法により強固に固定されている。図５に示す場合にあっては、連結具３９は垂直下向きに伸びる係合ピン３９ａにより構成され、水平棒材４１間の略中央にそれぞれ配置されている。
【００２７】
図５（Ａ）に示されるような補助枠体１３を使用して本発明の仮設養生体１０を設置する場合には、主枠体１１の垂直支柱１８の所定の箇所には同図（Ｂ）に示されるような被連結具４２が設けられる。この被連結具４２は、補助枠体１３の連結具３９に連結されて補助枠体１３を支持するものであり、その形状や設置個数は補助枠体１３の連結具３９の形状や設置個数に対応して種々の形態をとる。図示する場合には筒状の被連結具４２が水平棒材１９間の略中央にそれぞれ配置されている。そして、係合ピン３９ａよりなる連結具３９を主枠体１１に設けられる筒状の被連結具４２にそれぞれ挿入することによって、補助枠体１３は主枠体１１に対して支持されるようになっている。なお、係合ピン３９ａおよび被連結具４２の配置は、相互に隣り合う主枠体１１の水平棒材１９と補助枠体１３の水平棒材４１との組み付け高さが同一に揃うように調節されている。
【００２８】
図６は一実施の形態である仮設養生体の設置方法を示す説明図である。図６に示される仮設養生体１０は図５（Ｂ）に示される主枠体１１と同図（Ａ）に示される補助枠体１３と図３（Ａ）に示される締結具２０ａとにより構成され、その主枠体１１の垂直支柱１８は連結部１６が下方を向くように配置されている。かかる仮設養生体１０は第１ないし第３の工程により設置される。すなわち、複数の主枠体１１および補助枠体１３を作業現場に搬入した後、第１の工程として、これらの主枠体１１のうちの一部を主枠体１１に取り付けられる締結具２０ａを用いて建築物の躯体部１２に所定の間隔で着脱自在に締結する。次いで、第２の工程として、主枠体１１の被連結具４２に対して補助枠体１３の連結具３９としての係合ピン３９ａを連結することによって補助枠体１３を水平方向に着脱自在に組み付ける。そして、第３の工程として、躯体部１２に支持される主枠体１１の取付孔１７に対して、他の主枠体１１の連結部１６を挿入することによって主枠体１１を垂直方向に着脱自在に組み上げる。この組み上げられる主枠体１１に更に他の補助枠体１３を組み付けるようにしても良い。
【００２９】
補助枠体１３の水平方向への組み付けの有無は、建造規模や作業の進捗状況にあわせて任意に決定することができる。たとえば、図１に示される場合には、複数の主枠体１１が躯体部１２に対して所定の間隔で支持され、最下段に配置される主枠体１１を除き、これらの主枠体１１の間には補助枠体１３が組み付けられている。補助枠体１３を組み付ける場合には、所定の間隔で躯体部１２に支持される主枠体１１に対して補助枠体１３を組み付けることができるので、仮設養生体１０の設置に使用する締結具２０ａ〜２０ｃの個数を必要最小限に抑制することができる。補助枠体１３を組み付けることによって建造箇所全体を枠体により覆うことも可能となるので養生ネット１４や作業足場１５の組み付けに支障をきたすこともない。なお、第２の工程と第３の工程とは順序を入れ替えて設置作業を行なうことも可能であり、締結具２０ａ〜２０ｃを補助枠体１３に取り付けて補助枠体１３を躯体部１２に対して直接支持させることも可能である。
【００３０】
主枠体１１および補助枠体１３を構成する垂直支柱１８，４０および水平棒材１９，４１の寸法は自由に設定することができる。また、本発明の仮設養生体１０を構成する主枠体１１および補助枠体１３の水平方向への配列は、両端つまり最左列と最右列に主枠体１１が配置されること、補助枠体１１が組み付けられるのは主枠体１１と主枠体１１の間であること以外は自在に設定することができる。たとえば、水平方向に４列の枠体が配置される仮設養生体１０を仮定すると、最左列である第１列目とそれに隣接する第２列目には主枠体１１を配設し、最右列である第４列目には主枠体１１を配設するとともに、両側に主枠体１１が配設されることになる第３列目には補助枠体１３を配設することができる。
【００３１】
図７は主枠体に補助枠体を組み付けるための他の実施の形態を示す斜視図であり、図２および図５（Ａ）に示される部材と同一の部材には同一の符号を付している。図７に示す補助枠体１３は図５（Ａ）に示す補助枠体１３とは垂直支柱４０に設けられる連結具３９のみが異なる。つまり、補助枠体１３の垂直支柱４０には、連結具３９として、通常一般に用いられる単クランプ３９ｂと、金属薄板をＵ字に折り曲げて形成される振れ止め部材３９ｃとが設けられている。かかる補助枠体１３を使用して仮設養生体１０を設置する場合には図５（Ｂ）に示されるような被連結具４２を主枠体１１に設ける必要がなく、主枠体１１の垂直支柱１８を単クランプ３９ｂと振れ止め部材３９ｃとに収容するとともに、所定の工具を用いてボルト締付を行なうことによって、主枠体１１に対して補助枠体１３を支持することができる。なお、単クランプ３９ｂに代えて、後述の二連クランプ３９ｄを用いることもできる。また、振れ止め部材３９ｃの設置は省略することができる。
【００３２】
図８（Ａ）は主枠体および補助枠体の他の実施の形態を示す斜視図であり、（Ｂ）は同図（Ａ）の組付け手段を拡大して示す平面図であり、図２および図５（Ａ）に示される部材と同一の部材には同一の符号を付している。図８（Ａ）に示すように、主枠体１１ａの水平棒材１９および補助枠体１３ａの水平棒材４１のそれぞれは躯体部１２とは反対の方向に張り出すように形成されている。このような主枠体１１ａと補助枠体１３ａとを相互に組み付ける場合には、同図（Ｂ）に示すような、水平棒材４１の張り出し部４１ａと水平棒材１９の張り出し部１９ａとを相互に連結する連結具３９を使用することができる。図示する場合にあっては、２つの単クランプを連接して形成される二連クランプ３９ｄが補助枠体１３ａの張り出し部４１ａに装着されており、この二連クランプ３９ｄを構成する他方の単クランプに主枠体１１の張り出し部１９ａを収容するとともに、所定の工具を用いてボルト締付を行なうことによって、主枠体１１に対して補助枠体１３を支持することができる。このように水平棒材１９，４１に張り出し部１９ａ，４１ａを設け、その張り出し部１９ａ，４１ａに連結具３９を連結させるようにすれば、補助枠体１３の組み付け作業に際して締結具２０ａ〜２０ｃとの間で取り付け位置について干渉しあうことがなくなる。
【００３３】
主枠体１１および補助枠体１３のそれぞれは、上述の簡易な組付け手段により着脱自在に組み付けられているので、本発明の仮設養生体１０の解体作業は容易に行なうことができ、解体作業後の搬出作業も容易に行なうことができる。作業が終了したフロアに設置される主枠体１１、補助枠体１３および締結具２０ａ〜２０ｃのみを解体して次の作業箇所に盛り替えることも可能であり、これら構成部材を効率的に使い回すことも可能である。つまり、本発明にあっては、その構成部材の搬入作業に始まり組立解体作業や盛替作業を経て搬出作業に至る一連の仮設作業にともなう労力の軽減を図ることができ、さらに構成部材の使用個数も必要最小限に抑制することによって設置コストの低下を図ることもできる。
【００３４】
本発明は前記実施の形態に限定されるものではなく、その要旨を逸脱しない範囲で種々変更が可能である。たとえば、本発明の仮設養生体１０は低層の建築物にも適用することができ、地面に接する最下層の主枠体１１にベース金具を履かせて地上から支持させることも可能である。また、主枠体１１および補助枠体１３を構成する垂直支柱１８，４０および水平棒材１９，４１のそれぞれは、鉄などの金属薄板を折り曲げて製造しても良いし、角パイプや丸パイプを組み合わせて製造しても良い。
【図面の簡単な説明】
【００３５】
【図１】本発明の一実施の形態である仮設養生体を建築物の外側に設置した状態を示す斜視図である。
【図２】本発明を構成する主枠体の一実施の形態を示す全体図である。
【図３（Ａ）】本発明を構成する主枠体に取り付けられる締結具の一実施の形態を示す斜視図である。
【図３（Ｂ）】本発明を構成する主枠体に取り付けられる締結具の一実施の形態を示す斜視図である。
【図３（Ｃ）】本発明を構成する主枠体に取り付けられる締結具の一実施の形態を示す斜視図である。
【図３（Ｄ）】図３（Ｃ）のＤ−Ｄ線方向に沿う方向の断面図でである。
【図３（Ｅ）】本発明を構成する主枠体に取り付けられる締結具の一実施の形態を示す斜視図である。
【図３（Ｆ）】図３（Ｅ）に示す締結具の締結状態を示す一部省略断面図である。
【図４】一実施の形態である仮設養生体の設置方法を示す説明図である。
【図５】（Ａ）は本発明を構成する補助枠体の一実施の形態を示す全体図であり、（Ｂ）は同図（Ａ）に示す補助枠体を使用する場合における主枠体の一実施の形態を示す全体図である。
【図６】図５（Ｂ）に示される主枠体に同図（Ａ）に示される補助枠体を組み付けるための一実施の形態を示す説明図である。
【図７】主枠体に補助枠体を組み付けるための他の実施の形態を示す斜視図である。
【図８】（Ａ）は主枠体および補助枠体の他の実施の形態を示す斜視図であり、（Ｂ）は同図（Ａ）の組付け手段を拡大して示す平面図である。
【符号の説明】
【００３６】
１０  仮設養生体
１１  主枠体
１２  躯体部
１３  補助枠体
１６  連結部
１７  取付孔
２０ａ〜２０ｃ  締結具
３９  連結具
【図１】
2005155020.tif 000003
【図２】
2005155020.tif 000004
【図３（Ａ）】
2005155020.tif 000005
【図３（Ｂ）】
2005155020.tif 000006
【図３（Ｃ）】
2005155020.tif 000007
【図３（Ｄ）】
2005155020.tif 000008
【図３（Ｅ）】
2005155020.tif 000009
【図３（Ｆ）】
2005155020.tif 000010
【図４】
2005155020.tif 000011
【図５】
2005155020.tif 000012
【図６】
2005155020.tif 000013
【図７】
2005155020.tif 000014
【図８】
2005155020.tif 000015